(57)【特許請求の範囲】
【請求項１】
多数の室内機を有するマルチエアコンシステムの膨張バルブ制御装置において、
印加される制御信号によって前記膨張バルブを駆動させる膨張バルブ駆動部と、
外部命令信号に相応する制御信号を出力する通信ポートセットと多数の選択出力ポートなどを有する制御部と、
前記制御部の通信ポートセットに並列に連結された入力ポートセットと、前記制御部の選択出力ポートのうちいずれか一つに直列に連結された選択入力ポートを各々備え、前記制御部の選択出力ポートから印加されるスイッチング信号によって前記制御部の通信ポートセットから印加される制御信号を関連した前記膨張バルブ駆動部に伝送する多数の出力ポート拡張部を含んで構成され、
前記制御部の通信ポートセットには一つのデータバスが連結され、前記データバスには前記各出力ポート拡張部の入力ポートセットなどが並列に連結される、
ことを特徴とするマルチエアコンシステムの膨張バルブ制御装置。
【請求項２】
前記各々の膨張バルブ駆動部には一つの膨張バルブが連結されていることを特徴とする請求項１に記載のマルチエアコンシステムの膨張バルブ制御装置。
【請求項３】
前記各々の出力ポート拡張部には前記二つの膨張バルブ駆動部が連結されていることを特徴とする請求項１に記載のマルチエアコンシステムの膨張バルブ制御装置。
【請求項４】
前記制御部の通信ポートセットのポート数は８個であることを特徴とする請求項１に記載のマルチエアコンシステムの膨張バルブ制御装置。
【請求項５】
前記出力ポート拡張部の入／出力ポートセットのポート数は８個であり、前記出力ポートセットのうち、ポート４個当たり一つの膨張バルブ駆動部が連結されていることを特徴とする請求項１に記載のマルチエアコンシステムの膨張バルブ制御装置。
【請求項６】
前記出力ポート拡張部は８ビットラッチであることを特徴とする請求項１に記載のマルチエアコンシステムの膨張バルブ制御装置。
【請求項７】
前記制御部の通信ポートセットに並列に連結されている出力ポートセットと、前記制御部の選択出力ポートのうち、いずれかの一つに直列に連結された選択入力ポートを各々備えられ、前記制御部の選択出力ポートから印加されるスイッチング信号によって前記出力ポートセットを介して前記制御部の通信ポートセットに外部命令信号を入力する入力ポート拡張部を更に含んでいることを特徴とする請求項１に記載のマルチエアコンシステムの膨張バルブ制御装置。
【請求項８】
前記入力ポート拡張部は両方向バッファであることを特徴とする請求項７に記載のマルチエアコンシステムの膨張バルブ制御装置。
【請求項９】
前記出力ポート拡張部と膨張バルブ駆動部との間に電気的に連結されるように配置されて前記制御信号を増幅する増幅部を更に含んでいることを特徴とする請求項１に記載のマルチエアコンシステムの膨張バルブ制御装置。
【請求項１０】
前記増幅部はダリングトントランジスタであることを特徴とする請求項９に記載のマルチエアコンシステムの膨張バルブ制御装置。
【請求項１１】
多数の室内機を有するマルチエアコンシステムの膨張バルブ制御装置において、
外部命令信号に相応する制御信号を出力する通信ポートセットと多数の選択出力ポートなどを有する制御部と、
前記制御部の通信ポートセットに並列に連結された入力ポートセットと、前記制御部の選択出力ポートのうちいずれか一つに直列に連結された選択入力ポートを各々備え、前記制御部の選択出力ポートから印加されるスイッチング信号によって前記出力ポートセットを介して前記制御部の通信ポートセットに外部命令信号を入力する少なくとも一つの入力ポート拡張部と、
前記制御部の通信ポートセットに並列に連結された入力ポートセットと、前記制御部の選択出力ポートのうち、いずれかの一つに直列で連結された選択入力ポートを各々備え、前記制御部の選択出力ポートから印加されるスイッチング信号によって前記制御部の通信ポートセットから印加される制御信号を伝送する多数の出力ポート拡張部と、
前記出力ポート拡張部から印加される制御信号を増幅して出力する増幅部と、
前記増幅部の増幅された制御信号によって前記膨張バルブを駆動させる膨張バルブ駆動部を包含して構成され、
前記制御部の通信ポートセットには一つのデータバスが連結され、前記データバスには前記各出力ポート拡張部の入力ポートセットなどと前記入力ポート拡張部の出力ポートセットなどが並列に連結される、
ことを特徴とするマルチエアコンシステムの膨張バルブ制御装置。
【請求項１２】
前記出力ポート拡張部と前記増幅部は互いに一対一で対応されるように配置されることを特徴とする請求項１１に記載のマルチエアコンシステムの膨張バルブ制御装置。
【請求項１３】
前記各々の増幅部には前記二つの膨張バルブ駆動部が連結され前記各々の膨張バルブ駆動部には一つの膨張バルブが連結されることを特徴とする請求項１１に記載のマルチエアコンシステムの膨張バルブ制御装置。
【請求項１４】
前記制御部の通信ポートセットのポート数と前記出力ポート拡張部及び増幅部の入／出力ポートセットのポート数は各々８個であり、前記増幅部の出力ポートセットのうち、ポート４個当たり一つの膨張バルブ駆動部が連結されていることを特徴とする請求項１１に記載のマルチエアコンシステムの膨張バルブ制御装置。
【請求項１５】
前記出力ポート拡張部は８ビットラッチであり、前記入力ポート拡張部は両方向バッファであり、前記増幅部はダリングトントランジスタであることを特徴とする請求項１１に記載のマルチエアコンシステムの膨張バルブ制御装置。
【発明の詳細な説明】
【０００１】
【発明の属する技術分野】
本発明は、マルチエアコンシステムに関するもので、特に、多数の室内機を有するマルチエアコンシステムの膨張バルブ制御装置に関する。
【０００２】
【従来の技術】
一般に、エアコンは冷媒を機械的な方法で相変化させた後、相変化された冷媒と室内空気との熱交換を介して冷／暖房を実現する。
かかるエアコンの冷凍サイクルは冷媒が圧縮機、室外熱交換機、毛細管、室内熱交換機を順次に通過しながら行なわれる。
この時冷媒は電子膨張バルブの転換方向によって前記冷凍サイクルを正循環又は逆循環することで冷／暖房を実現する。
エアコンシステムは多数の室内機と一つの室外機とで構成されたマルチ型と一つの室外機と一つの室内機とで構成された分離型と、室外機と室内機とが一体に構成された一体型に分けられる。
【０００３】
特に、マルチ型のマルチエアコンシステムの冷凍サイクルは室内熱交換機を複数の部屋に取り付けて多数の部屋を同時に空調することができる。
マルチエアコンシステムは複数の室内熱交換機を有しており、各室内熱交換機には毛細管が各々直列で連結される。
【０００４】
また、マルチエアコンシステムには希望の場所にだけ空調が成されるように冷媒の流れを遮断する電子膨張バルブがある。
従って、多数の室内機などを電子膨張バルブを制御することで動作が成立される。
図２は従来の技術によるマルチエアコンシステムの膨張バルブの制御装置を示す図である。
図２に示すように、従来技術によるマルチエアコンシステムの膨張バルブ制御装置は電子膨張バルブを駆動させる膨張バルブ駆動部１０と、多数の電子膨張バルブ駆動部１０を制御する制御部２０と、膨張バルブ駆動部１０と制御部２０との間に連結されて制御部２０の制御信号を増幅させる増幅部３０からなる。
【０００５】
このように構成された従来技術によるマルチエアコンシステムの膨張バルブ制御装置の動作は次のようである。
先ず、制御部２０は外部から入力される外部命令信号によって室内機の冷媒供給量維持及び電子膨張バルブ１０の転換方向を制御するための制御信号を出力する。
【０００６】
制御部２０の制御信号は増幅部３０を介して増幅されて膨張バルブ駆動部１０に出力される。
また、膨張バルブ駆動部１０は入力された制御信号によって関連する電子膨張バルブを駆動させる。
ここで、各増幅部３０は制御部２０の８個の出力ポートごとに各々連結されている。
また、一つの増幅部３０は二つの膨張バルブ駆動部１０に連結され、各膨張バルブ駆動部１０は増幅部３０の四つ出力ポート毎に各々連結される。
即ち、従来の技術によるマルチエアコンシステムの膨張バルブ制御装置において、一つの電子膨張バルブを制御するためには制御部２０の出力ポート４個を必要とする。従って、室内機の数が６室以上に更に増えると制御部２０の出力ポート個数が足りなくなって一つの制御部２０ですべての電子膨張バルブが制御できないという問題が発生する。
【０００７】
【発明が解決しようとする課題】
本発明は、上記従来技術の問題点を解決するためのもので、制御部のポート数に制約を受けず一つの制御部に多数の電子膨張バルブを効率的に制御できるマルチエアコンシステムの膨張バルブ制御装置を提供することを目的とする。
【０００８】
【課題を解決するための手段】
上記目的を達成するための本発明によると、印加される制御信号によって前記膨張バルブを駆動させる膨張バルブ駆動部と、外部命令信号に相応する制御信号を出力する通信ポートセットと多数の選択出力ポートなどを有する制御部と、前記制御部の通信ポートセットに並列に連結された入力ポートセットと、前記制御部の選択出力ポートのうちいずれか一つに直列に連結された選択入力ポートを各々備え、前記制御部の選択出力ポートから印加されるスイッチング信号によって前記制御部の通信ポートセットから印加される制御信号を関連した前記膨張バルブ駆動部に伝送する多数の出力ポート拡張部を含んで構成される。
【０００９】
ここで、前記各々の膨張バルブ駆動部には一つの膨張バルブが連結され、前記各々の出力ポート拡張部には前記二つの膨張バルブ駆動部が連結される。
【００１０】
前記制御部の通信ポートセットには一つのデータバスが連結され、前記データバスには前記各出力ポート拡張部の入力ポートセットなどが並列に連結される。
【００１１】
本発明の他の実施形態によると、外部命令信号に相応する制御信号を出力する通信ポートセットと多数の選択出力ポートなどを有する制御部と、前記制御部の通信ポートセットに並列に連結された入力ポートセットと、前記制御部の選択出力ポートのうちいずれか一つに直列に連結された選択入力ポートを各々備え、前記制御部の選択出力ポートから印加されるスイッチング信号によって前記出力ポートセットを介して前記制御部の通信ポートセットに外部命令信号を入力する少なくとも一つの入力ポート拡張部と、前記制御部の通信ポートセットに並列に連結された入力ポートセットと、前記制御部の選択出力ポートのうち、いずれかの一つに直列で連結された選択入力ポートを各々備え、前記制御部の選択出力ポートから印加されるスイッチング信号によって前記制御部の通信ポートセットから印加される制御信号伝送する多数の出力ポート拡張部と、前記出力ポート拡張部から印加される制御信号を増幅して出力する増幅部と、前記増幅部の増幅された制御信号によって前記膨張バルブを駆動させる膨張バルブ駆動部を包含して構成される。
【００１２】
ここで、前記出力ポート拡張部と前記増幅部は互いに一対一で対応されるように配置され、前記各々の増幅部には前記二つの膨張バルブ駆動部が連結され前記各々の膨張バルブ駆動部には一つの膨張バルブが連結される。
【００１３】
【発明の実施の形態】
以下、添付の図面を参照して本発明を更に詳細に説明する。
【００１４】
図１は本発明によるマルチエアコンシステムの膨張バルブ制御装置を示す図である。図１に示すように、本発明は電子膨張バルブを駆動させる膨張バルブ駆動部１００と、多数の電子膨張バルブ駆動部１００を制御する制御部２００と、膨張バルブ駆動部１００と制御部２００の間に連結される入力ポート拡張部５００，出力ポート拡張部３００及び増幅部４００とからなる。
【００１５】
ここで、制御部２００はマイクロプロセッサーとして、外部命令信号に相応する制御信号を出力する通信ポートセットＤ０−Ｄ７と多数の選択出力ポートＣＳ１−ＣＳｎなどを有する。
制御部２００の通信ポートセットのポート数はすべて８個であって、一つのデータバスに並列に連結される。
【００１６】
また、各出力ポート拡張部３００の入力ポートセットＤ０−Ｄ７はデータバスに並列に連結され、各出力ポート拡張部３００の入力ポートＧには制御部２００の選択出力ポートＣＳ１―ＣＳｎのうちいずれか一つのポートが直列に連結される。
【００１７】
ここで、出力ポート拡張部３００は多数の８ビットラッチからなり、データバスに連結される。
この時、出力ポート拡張部３００はＯＣ（OUTPUT CONTROL)をハイにしたら出力がハイインピーダンスとなる。
従って、本発明は出力ポート拡張部３００のＯＣをローにして出力ポートに用いる。
即ち、latch  enable  portのＧがハイであれば、入力値がすべて出力され、Ｇがローで有れば出力状態が維持される（hold）。
【００１８】
また、本発明は制御部２００の入力ポート拡張のために図１に示すように、入力ポート拡張部５００をデータバスに連結して用いられる。
入力ポート拡張部５００の出力ポートセットＡ１−Ａ８はデータバスに並列に連結され、入力ポート拡張部５００の選択入力ポートＧは制御部２００の選択出力ポートなどＣＳ１―ＣＳｎのうち何れかの一つのポートに直列に連結される。
【００１９】
ここで、入力ポート拡張部５００は両方向バッファとして、Ｇがローの場合、ＤＩＲがハイであればデータがＡからＢに移動し、ＤＩＲがローであれば、データがＢからＡに移動する。
【００２０】
本発明の入力ポート拡張部５００はＤＩＲをローにしてデータ入力ポートに用いる。
また、増幅部４００は出力ポート拡張部３００に一対一で対応されるように配置される。
ここで、増幅部４００の入力ポートセットＩ１−Ｉ８は出力ポート拡張部３００の出力ポートセットＱ０−Ｑ７に対応されて連結され、増幅部４００の出力ポートセット０１〜０８のうち出力ポート４個当たり一つの膨張バルブ駆動部が連結される。
【００２１】
この時増幅部４００はダリングトントランジスタを用いる。
増幅部４００は制御信号を増幅するためのもので、場合によっては設計上省略することもできる。
それから、各々の膨張バルブ駆動部１００には一つの膨張バルブが連結される。
【００２２】
このように、構成された本発明によるマルチエアコンシステムの膨張バルブ制御装置の動作は次のようである。
先ず、制御部２００は室内機の冷媒供給量維持及び電子膨張バルブの転換方向を制御するための外部命令信号を外部から直接又は入力ポート拡張部５００を介して入力される。
【００２３】
入力ポート拡張部５００を介して入力される外部命令信号はデータバスを介して制御部２００に入力される。
次に、制御部２００は入力された信号によって制御信号を出力する。
ここで、制御部２００の制御信号はデータバスを介して関連する出力ポート拡張部３００に出力される。
【００２４】
出力ポート拡張部３００は制御部２００の選択出力ポートから印加されるスイッチング信号によって制御部２００の通信ポートセットから印加される制御信号を伝送する。
また、増幅部４００は出力ポート拡張部から入力される制御信号を増幅して関連する膨張バルブ駆動部１００に出力し、膨張バルブ駆動部１００は入力される制御信号によって関連する膨張バルブを駆動させる。
【００２５】
従って、本発明は制御部の入／出力ポートの数を拡張して用いることができるので多数の室内機を有するマルチエアコンシステムに適している。
【００２６】
【発明の効果】
以上説明したように、本発明のマルチエアコンシステムの膨張バルブ制御装置によると、次のような効果がある。
即ち、本発明は別の制御部を用いることなく一つの制御部だけで多数の膨張バルブを効率的に制御することができ、製造原価を減らして生産性を向上させることができる。
【００２７】
以上、本発明の好適な一実施形態を説明したが、本発明の技術思想に基づいて種々の変形又は変更が可能である。
【図面の簡単な説明】
【図１】本発明によるマルチエアコンシステムの膨張バルブ制御装置を示す図である。
【図２】従来技術によるマルチエアコンシステムの膨張バルブ制御装置を示す図である。
【符号の説明】
１００…膨張バルブ駆動部
２００…制御部
３００…出力ポート拡張部
４００…増幅部
５００…入力ポート拡張部
【図１】
0003857615.tif 000002
【図２】
0003857615.tif 000003